(57)【特許請求の範囲】
【請求項１】
機能水を生成する機能水生成機であって、
前記機能水生成機に給水源からの水が流入する流入口と、
前記流入口から流入した水を電気分解する電解槽と、
前記電解槽より上流側に設けられ、前記流入口と前記電解槽の間の流路を開閉する流入機構部と、
前記電解槽の下流側に設けられ、前記電解槽に接続され、前記電解槽で生成された機能水を流出させる流出機構部と、を備え、
前記流路は、前記流入機構部と前記流出機構部との間で折り返すように配置され、
前記電解槽は、前記流入機構部又は前記流出機構部の何れか一方に対して回転させることによって係止され、
さらに前記電解槽は、前記電解槽より上流側に配置された前記流入機構部又は前記電解槽の下流側に設けられ前記電解槽に接続された前記流出機構部の何れか一方と係止されている状態において、前記電解槽より上流側に配置された前記流入機構部又は前記電解槽の下流側に設けられ前記電解槽に接続された前記流出機構部の何れか他方と接触することで、回転規制される
ことを特徴とする機能水生成機。
【請求項２】
前記電解槽とは別に第二電解槽をさらに備え、
前記第二電解槽は、前記電解槽と接触することで、回転規制される
ことを特徴とする請求項１に記載の機能水生成機。
【請求項３】
前記電解槽は、前記電解槽の回転軸に対して外側に向かって突出する偏芯部を有し、
前記偏芯部は、前記電解槽と前記流入機構部又は前記流出機構部の何れか一方に接触することで回転規制される
ことを特徴とする請求項１に記載の機能水生成機。
【請求項４】
前記偏芯部は、前記偏芯部の内部は空洞となっており、
前記空洞を前記流路の一部とする
ことを特徴とする請求項３に記載の機能水生成機。
【発明の詳細な説明】
【技術分野】
【０００１】
開示の実施形態は、機能水を吐水する水栓の機能水生成機に関する。
【背景技術】
【０００２】
従来、機能水を生成し、水周り機器において機能水を吐水する水栓装置が知られている。機能水を生成するためには、機能水生成機が必要であり、水道水を電気分解することによって機能水を生成する方法が知られている。このように機能水を機能水生成機によって生成し、水周り機器に機能水を吐水することで、水周り機器（例えば、ボウルや排水口）等を清潔に保つことができ、さらには、使用者による清掃の頻度を少なくすることができる（例えば特許文献１）。
【先行技術文献】
【特許文献】
【０００３】
【特許文献１】特開平１０−２８７２１号公報
【発明の概要】
【発明が解決しようとする課題】
【０００４】
しかしながら、特許文献１の水栓から機能水を吐水しようとすると水栓以外に機能水生成機が必要となる。機能水生成機は水栓の近くに配置する必要があり、機能水生成機が大型化すると、水栓の近傍のスペース（水栓下方のキャビネット内部）が狭くなってしまう。そのため、機能水生成機を小型化する必要がある。機能水生成機を小型化する上で、機能水生成機内部の配管の接続構造を簡易的な構造とすることで機能水生成機を小型化することができるが、簡易化することにより、接続部が外れ易くなってしまい、水漏れが発生してしまう。
【０００５】
本発明は、上記に鑑みてなされたものであって、機能水生成機内の配管の接続を簡易的な構造とした場合であっても接続部から水漏れが発生することを抑制することができる機能水生成機を提供することを目的とする。
【課題を解決するための手段】
【０００６】
本発明に係る機能水生成機は、機能水を生成する機能水生成機であって、前記機能水生成機に給水源からの水が流入する流入口と、前記流入口から流入した水を電気分解する電解槽と、前記電解槽より上流側に設けられ、前記流入口と前記電解槽の間の流路を開閉する流入機構部と、前記電解槽の下流側に設けられ、前記電解槽に接続され、前記電解槽で生成された機能水を流出させる流出機構部と、を備え、前記流路は、前記流入機構部と前記流出機構部との間で折り返すように配置され、前記電解槽は、前記流入機構部又は前記流出機構部の何れか一方に対して回転させることによって係止され、さらに前記電解槽は、前記電解槽より上流側に配置された前記流入機構部又は前記電解槽の下流側に設けられ前記電解槽に接続された前記流出機構部の何れか一方と係止されている状態において、前記電解槽より上流側に配置された前記流入機構部又は前記電解槽の下流側に設けられ前記電解槽に接続された前記流出機構部の何れか他方と接触することで、回転規制されることを特徴とする。
【０００７】
本発明に係る機能水生成機は、回転させて電解槽を流出機構部または流入機構部に係止させることで、スナップフィット等の接続するための専用部品が不要となり、部品点数を減らすことができるとともに、部品点数が減少することにより機能水生成機を小型化することができる。このように、部品点数を減らすことや小型化するために、電解槽と流出機構部または流入機構部の係止方法を簡易的な構造にしてしまうと、電解槽と流出機構部または流入機構部との接続が弱くなり接続が外れてしまい水漏れが発生する可能性があるが、回転させて係止される方法において、電解槽の回転を流出機構部または流入機構部に接触させ回転規制させることで、電解槽と流出機構部または流入機構部の接続が弱くなることを防止することができる。
【０００８】
また、本発明に係る機能水生成機では、前記電解槽とは別に第二電解槽をさらに備え、
前記第二電解槽は、前記電解槽と接触することで、回転規制されることを特徴とすることが好ましい。
【０００９】
この好ましい態様では、電解槽は流入機構部と接触することで回転規制を行い、第二電解槽は、電解槽と接触することで回転規制を行う。このような構成とすることで、相対的に第二電解槽の回転を規制することができ、電解槽および第二電解槽と流出機構部の接続が弱まることを防止することができる。
【００１０】
また、本発明に係る機能水生成機では、前記電解槽は、前記電解槽の回転軸に対して外側に向かって突出する偏芯部を有し、前記偏芯部は、前記電解槽と前記流入機構部又は前記流出機構部の何れか一方に接触することで回転規制されることを特徴とすることが好ましい。
【００１１】
この好ましい態様では、偏芯部が接触することで回転規制を行うことで、電解槽内部に設けられる電極等に外力が加わることを抑制できる。
【００１２】
また、本発明に係る機能水生成機では、前記偏芯部は、前記偏芯部の内部は空洞となっており、前記空洞を前記流路の一部とすることを特徴とすることが好ましい。
【００１３】
この好ましい態様では、偏芯部を設けることで、電解槽の内部に設けられる電極に外力が加わらないようにすることはできるが、回転規制専用の偏芯部としてしまうと偏芯部の大きさ分だけ機能水生成機が大きくなる恐れがある。そこで、偏芯部の内部を空洞とし、この空洞を流路の一部とすることで、偏芯部を回転規制以外にも利用することができ機能水生成機が大型化することを抑制することができる。
【発明の効果】
【００１４】
本発明によれば、機能水生成機内の配管の接続を簡易的な構造とした場合であっても接続部から水漏れが発生することを抑制することができる機能水生成機を提供することができる。
【図面の簡単な説明】
【００１５】
【図１】図１は、実施形態に係る機能水生成機が収納されるシステムキッチンを示す斜視図である。
【図２】図２は、実施形態に係る機能水生成機の流路構成図である。
【図３】図３は、実施形態に係る電解槽の上面図である。
【図４】図４は、実施形態に係る機能水生成機の内部構成を表す図である。
【発明を実施するための形態】
【００１６】
以下、添付図面を参照して、本発明の機能水生成機の実施形態を詳細に説明する。なお、以下に示す実施形態によりこの発明が限定されるものではない。また、説明の理解を容易にするため、各図面において同一の構成要素に対しては可能な限り同一の符合を付して、重複する説明は省略する。
【００１７】
図１は、実施形態に係る機能水生成機が収納されるシステムキッチンを示す斜視図である。図１に示すように、システムキッチンＳＫには、キャビネット１と、引出し２と、水栓装置３と、ハンドル４と、ボウル５と、機能水生成機１０（図示しない）と、を備える。
【００１８】
なお、以下では、図１に示すように、使用者と対面する側を水栓装置３およびシステムキッチンＳＫの前側（正面側）とし、その反対側を後側（背面側）とする。また、使用者から見て左側および右側を水栓装置３およびシステムキッチンＳＫの左側および右側とし、重力方向およびその反対方向を水栓装置３およびシステムキッチンＳＫの下側および上側とする。
【００１９】
キャビネット１は、内部に調理器具等を収納可能な収納スペースを有しており、キャビネット１の外形は箱状である。引出し２は、キャビネット１の収納スペースを開放させるために前後方向に移動可能となっている。
【００２０】
水栓装置３は、システムキッチンＳＫの上面に取り付けられ、機能水を吐水する。水栓装置３は、機能水のほかにも原水を吐水可能であり、機能水および原水の吐止水の操作を行うハンドル４を有している。なお、水栓装置３は、後述する機能水生成機１０と接続されている。
【００２１】
ボウル５は、下方に向かって凹んだ凹状に形成されており、水栓装置３から吐水された機能水および原水を受け止める。
【００２２】
次に上述した機能水生成機１０について図２を参照して説明する。図２は、実施形態に係る機能水生成機１０の流路構成図である。
【００２３】
図２に示すように、機能水生成機１０は、流入口２０と、流路３０と、流入機構部４０と、電解槽５０と、流出機構部６０とを備える。流入口２０は、給水源（図示しない）からの水を機能水生成機１０に流入させる口である。
【００２４】
流路３０は、流入口２０から機能水生成機１０の外部まで繋がる配管である。流入機構部４０は、流路３０に設けられ、流路３０の開閉を行う。電解槽５０は、流入口２０から流入した水を電気分解することで、機能水を生成する。流出機構部６０は、電解槽５０で生成される機能水を排出する。より具体的には、図示しないが、流出機構部６０には、電気分解時に発生するスケールを捕集するストレーナなどが設けられている。
【００２５】
次に、電解槽５０について図３を参照して説明する。図３は、実施形態に係る電解槽５０の上面図である。電解槽５０は、電解部５１と、電解槽流出口５２と、電解槽流入口５４と、偏芯部５３と、を有する。
【００２６】
電解部５１は、流路３０内に電極（図示しない）が設けられ、制御部７０によって通電されることで水を電気分解し、機能水を生成する。電解槽流出口５２は、電解部５１によって生成された機能水を電解槽５０の外部に流出させる口である。電解槽流出口５２には、流出機構部６０と接続させる係止部５５が設けられる。流出機構部６０に電解槽５０の電解槽流出口５２を挿入し、回転させることで係止部５５が流出機構部６０に係止し、電解槽５０と流出機構部６０とを接続する。
【００２７】
偏芯部５３は、電解槽５０を流出機構部６０に接続する際に電解槽５０を回転させる回転軸Ｒに対して外側方向に突出している。また、偏芯部５３は、内部が空洞になっており、偏芯部５３内の空洞は流路３０の一部として利用される。偏芯部５３の最上流側が電解槽５０の電解槽流入口５４である。
【００２８】
次に、機能水生成機１０の内部構造について図４を参照して説明する。図４は、実施形態に係る機能水生成機１０の内部構成を表す図である。
【００２９】
図４に示すように、機能水を生成する流量を増やすために、電解槽５０とは別に第二電解槽５０Ａを設ける。電解槽５０と第二電解槽５０Ａは流出機構部６０に対して並列に接続される。第二電解槽５０Ａは、電解槽５０と同様に電解部５１Ａと、電解槽流出口５２Ａと、偏芯部５３Ａと、電解槽流入口５４Ａと、係止部５５Ａを有する。
【００３０】
電解槽５０は、流入機構部４０の上方に設けられ、第二電解槽５０Ａは、電解槽５０の上方に設けられる。
【００３１】
流入機構部４０から電解槽５０の間の流路３０は、折り返して電解槽５０に接続される。さらに具体的には、流路３０は電解槽５０の偏芯部５３に接続される。電解槽５０の係止部５５は、流出機構部６０に設けられる係止穴６１に係止することで接続される。
【００３２】
流入機構部４０から第二電解槽５０Ａの間の流路２０は、折り返して第二電解槽５０Ａに接続される。さらに具体的には、流路２０は、第二電解槽の偏芯部５３Ａに接続される。第二電解槽５０Ａの係止部５５Ａは、流出機構部６０に設けられる係止穴６１Ａに係止することで接続される。
【００３３】
上述したように、電解槽５０に設けられる係止部５５と流出機構部６０の係止穴６１とを係止させることで電解槽５０と流出機構部６０を接続することで、接続専用の部品が不要となり、部品点数が減らせることにより、機能水生成機１０を小型化することができる。
【００３４】
また、電解槽５０に偏芯部５３を設け、さらに流入機構部４０の上方に配置することで、電解槽５０を回転させた時、もしくは回転した時において、偏芯部５３が流入機構部４０に接触し、それ以上回転しなくなり、回転を規制することができる。このことにより、電解槽５０と流出機構部６０との接続が弱くなることを防止でき、水漏れが発生することを防止できる。なお、偏芯部５３が流入機構部４０に接触することを例に挙げて説明したが、必ずしも偏芯部５３が流入機構部４０に接触することは要せず、電解槽５０の一部が流入機構部４０に接触すればよい。
【００３５】
また、第二電解槽５０Ａに偏芯部５３Ａを設け、さらに電解槽５０の上方に配置することで、第二電解槽５０Ａを回転させた時、もしくは回転した時において、偏芯部５３Ａが電解槽５０に接触し、それ以上回転しなくなり、回転を規制することができる。このことにより第二電解槽５０Ａと流出機構部６０との接続が弱くなることを防止でき、水漏れが発生することを防止できる。なお、偏芯部５３Ａが電解槽５０に接触することを例に挙げて説明したが、必ずしも偏芯部５３Ａが電解槽５０に接触することは要せず、第二電解槽５０Ａの一部が電解槽５０に接触すればよい。
【００３６】
偏芯部５３、５３Ａが、流入機構部４０および電解槽５０に接触する場合は、電解槽５０の内部に設けられる電極（図示しない）に無駄な外力が加わらず、予期せぬ故障等を防止できる。
【００３７】
偏芯部５３、５３Ａの内部を空洞とし、偏芯部５３，５３Ａ内部の空洞を流路３０の一部として利用することで、回転規制専用の部材とすることがなく、機能水生成機１０が大型化することを防止できる。
【００３８】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００３９】
１  キャビネット
２  引出し
３  水栓装置
４  ハンドル
５  ボウル
１０  機能水生成機
２０  流入口
３０  流路
４０  流入機構部
５０  電解槽
５０Ａ  第二電解槽
５１、５１Ａ  電解部
５２，５２Ａ  電解槽流出口
５３、５３Ａ  偏芯部
５４、５４Ａ  電解槽流入口
５５、５５Ａ  係止部
６０  流出機構部
６１  係止穴
７０  制御部
ＳＫ  システムキッチン
【図１】
0006701605.tif 000002
【図２】
0006701605.tif 000003
【図３】
0006701605.tif 000004
【図４】
0006701605.tif 000005